(57)【要約】      （修正有）【課題】ストラップ付装飾品を取付けるとともに、取付金具付装飾品を、帯を損傷することがない状態で簡単かつ確実に取付ける装飾品取付具を提供する。【解決手段】装飾品取付具１０は、衣類の間に挿入可能な平板状のプレート部材を備え、プレート部材の基端部１１ａに帯飾り５０のストラップ５２が挿入可能な穴部１２が形成される。また、プレート部材の先端部１１ｂに基端部１１ａからプレート部材に沿って挿入される髪飾り６０に配置されたＵ字ピン６２が挿入可能なポケット部１５を形成し、Ｕ字ピン６２の先端部の周囲を覆うポケット部材１３が配置され、更にＵ字ピン６２をプレート部材に押さえ付ける弾性部材１４を備える。【選択図】図２
0003200031.tif 000002
【実用新案登録請求の範囲】
【請求項１】
衣類の間に挿入可能な平板状のプレート部材を備え、
前記プレート部材の一端側にストラップ付装飾品のストラップが挿入可能な穴部が形成されると共に、
前記プレート部材の他端側に前記一端部側から前記プレート部材に沿って挿入される取付金具付装飾品に配置された取付金具が挿入可能なポケット部を形成し前記取付金具の少なくとも先端部の周囲を覆うポケット部材が配置され、
前記ストラップ付装飾品又は取付金具付装飾品を取付け可能であることを特徴とする装飾品取付具。
【請求項２】
前記プレート部材には前記取付金具を前記プレート部材に押し付ける弾性部材を備えることを特徴とする請求項１に記載の装飾品取付具。
【請求項３】
前記プレート部材の前記他端側の先端部は弧状に形成されていることを特徴とする請求項１又は請求項２に記載の装飾品取付具。
【請求項４】
前記ストラップ付装飾品は帯飾りであることを特徴とする請求項１から請求項３までのいずれか一項に記載の装飾品取付具。
【請求項５】
前記取付金具付装飾品は髪飾りであり、前記取付金具は、Ｕ字ピン及びクリップ式留め具を含むことを特徴とする請求項１から請求項４までのいずれか一項に記載の装飾品取付具。
【考案の詳細な説明】
【技術分野】
【０００１】
本考案は、装飾品取付具に係り、特に帯等衣服の間に挿入可能な平板状のプレート部材を備える装飾品取付具に関する。
【背景技術】
【０００２】
従来、上述した平板状のプレート部材を備える装飾品取付具が公知である。図３は従来の装飾品取付具の一例を示すものであり、（ａ）は平面図、（ｂ）は正面図、図４は従来の装飾品取付具に帯飾りを取付けた状態を示す平面図である。装飾品取付具４０は、合成樹脂、鼈甲、象牙、金属の硬質材で形成された薄板状のプレート部材４１を備えている。このプレート部材４１の一端部である基端部４１ａには、穴部４２が開設され、他端側の先端部４１ｂは弧状に形成され、その厚さが先端に向け薄く形成されている。このため、装飾品取付具４０は、帯等に差し込みやすくなっている。
【０００３】
図４に示すように、装飾品取付具４０にはストラップ付装飾品である帯飾り５０を取付けて使用する。帯飾り５０は、装飾部５１とこの装飾部５１に取付けられたストラップ５２とからなる。帯飾り５０は、装飾品取付具４０の穴部４２に挿入したストラップ５２に装飾部５１を挿入することにより装飾品取付具４０に取付けられる。
このように、帯飾り５０を装飾品取付具４０に取付けた状態でプレート部材４１を帯の隙間等に差し込んで、帯飾り５０を帯に取付ける。
【０００４】
また、ストラップを備えた装飾品以外として取付金具を備えた装飾品（取付金具付装飾品）がある。このような装飾品として髪飾りがある。図５は取付金具付装飾品である髪飾りを示す平面図である。この髪飾り６０は、図５に示すように、装飾部６１に取付金具としてＵ字ピン６２を備えている。Ｕ字ピン６２は、２本のピン６２a、６２ｂを備える。この髪飾り６０は、Ｕ字ピン６２を髪に差し込むことによって使用される。
【０００５】
特許文献１には、根付け、ストラップ、キーホルダー等に使用することができるように形成された第１の装飾品体と、この第１の装飾品体に着脱可能に取付けられた、髪に取付けられるように形成されたかんざし形状の第２の装飾品体とで構成される帯飾り等の装飾品が記載されている。
【特許文献１】特開２００４−２８４０４５号公報
【考案の開示】
【考案が解決しようとする課題】
【０００６】
ここで、従来の髪飾り６０は、帯飾りとして使用したいという要望がある。この場合、Ｕ字ピン６２を帯に差し込むことで髪飾り６０を取付けることができる。しかし、髪飾り６０のＵ字ピン６２を直接帯に差し込むと、ピン６２a、６２ｂの先端で帯を損傷するおそれがあり、Ｕ字ピン６２を紙や布で覆って使用される。
【０００７】
しかし、Ｕ字ピン６２等の取付金具を紙や布で巻く作業が煩雑である他、使用中に取付金具から紙や布が外れ、帯等を損傷してしまうおそれがある。
【０００８】
そこで本考案は、ストラップ付装飾品を取付け可能であると共に、取付金具付装飾品を、取付金具で帯を損傷することがない状態で簡単かつ確実に取付けることができる装飾品取付具を提供することを目的とする。
【課題を解決するための手段】
【０００９】
前記課題を解決する請求項１に記載の考案は、衣類の間に挿入可能な平板状のプレート部材を備え、前記プレート部材の一端側にストラップ付装飾品のストラップが挿入可能な穴部が形成されると共に、前記プレート部材の他端側に前記一端部側から前記プレート部材に沿って挿入される取付金具付装飾品に配置された取付金具が挿入可能なポケット部を形成し前記取付金具の少なくとも先端部の周囲を覆うポケット部材が配置され、前記ストラップ付装飾品又は取付金具付装飾品を取付け可能であることを特徴とする。
本考案によれば、取付金具付装飾品の取付金具がポケット部に挿入され、ポケット部材で取付金具の先端が覆われた状態で装飾品取付具に取付けられる。このため、ストラップ付装飾品を穴部に取付け可能であることはもちろん、取付金具付装飾品を取付金具で帯を損傷することがない状態で簡単かつ確実に装飾品取付具に取り付けることができる。
【００１０】
同じく請求項２に記載の考案は、請求項１に記載の装飾品取付具において、前記プレート部材には前記取付金具を前記プレート部材に押し付ける弾性部材を備えることを特徴とする。
本考案によれば、取付金具は、弾性部材によりプレート部材に押し付けられる。このため、取付金具付装飾品は確実に装飾品取付具に保持される。
【００１１】
同じく、請求項３に記載の考案は、請求項１又は請求項２に記載の装飾品取付具において、前記プレート部材の前記他端側の先端部は弧状に形成されていることを特徴とする。
本考案によれば、プレート部材の先端部を弧状としている。このため、装飾品取付具のプレート部材を容易に帯、衣類の隙間に挿入できる。
【００１２】
同じく、請求項４に記載の考案は、請求項１から請求項３までのいずれか一項に記載の装飾品取付具において、前記ストラップ付装飾品は帯飾りであることを特徴とする。
本考案によれば、ストラップ付装飾品である帯飾りを装飾品取付具に取付けて使用することができる。
【００１３】
同じく、請求項５に記載の考案は、請求項１から請求項４までのいずれか一項に記載の装飾品取付具において、前記取付金具付装飾品は髪飾りであり、前記取付金具は、Ｕ字ピン及びクリップ式留め具を含むことを特徴とする。
本考案によれば、取付金具付装飾品であるＵ字ピンやクリップ式留め具を含む取付金具付の髪飾りを装飾品取付具に取付けて使用することができる。
【考案の効果】
【００１４】
本考案に係る装飾品取付具によれば、取付金具付装飾品の取付金具をポケット部に挿入し、取付金具の先端をポケット部材で覆った状態として装飾品取付具に取付けることができ、ストラップ付装飾品を取付け可能であることはもちろん、取付金具付装飾品を、装飾品取付具に取付金具で帯を損傷することがない状態で簡単かつ確実に取付けることができる。
【図面の簡単な説明】
【００１５】
【図１】本考案の実施形態に係る装飾品取付具を示すものであり、（ａ）は平面図、（ｂ）は正面図、（ｃ）は左側面図、（ｄ）は（ａ）中のＤ−Ｄ線に相当する断面図である。
【図２】図１に示した装飾品取付具の使用状態を示すものであり、（ａ）は帯飾りを取付けた状態を示す平面図、（ｂ）は髪飾りを取付けた状態を示す平面図である。
【図３】従来の装飾品取付具の一例を示すものであり、（ａ）は平面図、（ｂ）は正面図である
【図４】従来の装飾品取付具に帯飾りを取付けた状態を示す平面図である。
【図５】取付金具付装飾品である髪飾りを示す平面図である。
【考案を実施するための最良の形態】
【００１６】
本考案を実施するための形態に係る装飾品取付具について説明する。図１は本考案の実施形態に係る装飾品取付具を示すものであり、（ａ）は平面図、（ｂ）は正面図、（ｃ）は左側面図、（ｄ）は（ａ）中のＤ−Ｄ線に相当する断面図である。
【００１７】
本考案の実施形態に係る装飾品取付具１０は、図４に示したストラップ付装飾品である帯飾り５０及び図５に示した取付金具付装飾品である髪飾り６０を取付けることができる。上述のように帯飾り５０は、装飾部５１とストラップ５２とを備え、髪飾り６０は装飾部６１と取付金具としてＵ字ピン６２とを備える。
【００１８】
装飾品取付具１０は、衣類の間に挿入可能な平板状のプレート部材１１を備えている。プレート部材１１は、合成樹脂、鼈甲、象牙、金属等の硬質材で形成された薄板状部材である。このプレート部材１１の一端部である基端部１１ａには、帯飾り５０のストラップ５２を取付けるための穴部１２が開設されている。また、プレート部材１１の他端側の先端部１１ｂは弧状に形成されている。先端部１１ｂには、ポケット部１５を形成するポケット部材１３が配置されている。なお、プレート部材１１の形状はこの例に限らず、両端を弧状とする等、衣類に差し込める形状であればよく、必要に応じて変更できる。
【００１９】
ポケット部材１３は、プレート部材１１の先端部１１ｂと同様に弧状の端部を備える板状部１３ａと、ポケット部１５の開口１５ａを除く、板状部１３ａの周囲に配置された立設部１３ｂとから構成されている。また、ポケット部材１３は、プレート部材１１と同じ素材、又は異なる素材で構成することができ、プレート部材１１に接着剤等で固定される。
【００２０】
ポケット部１５は、プレート部材１１とポケット部材１３との間に構成される。ポケット部１５には、基端部１１ａ側からプレート部材１１に沿って挿入される髪飾り６０のＵ字ピン６２が開口１５ａから挿入可能であり、Ｕ字ピン６２の先端をポケット部１５に挿入した状態で、ポケット部材１３は、Ｕ字ピン６２の少なくとも先端部の周囲を覆う。このため、Ｕ字ピン６２で衣類を損傷することがない。
【００２１】
また、プレート部材１１には、弾性部材１４が配置されている。弾性部材１４は、穴部１２とポケット部材１３との間に配置される。弾性部材１４は、環状の、例えばゴム部材であり、プレート部材１１にはめ込まれている。弾性部材１４は、プレート部材１１の裏面との接触面１４ａにおいて接着剤でプレート部材１１に固着されている。なお、弾性部材１４は帯状部材としてその両端においてプレート部材１１の側面に接着して取付けることができる。
【００２２】
Ｕ字ピン６２をプレート部材１１に沿ってポケット部１５に挿入するとき、Ｕ字ピン６２はプレート部材１１と弾性部材１４との間に配置される。これにより、Ｕ字ピン６２はプレート部材１１に押し付けられる。このため、髪飾り６０は、Ｕ字ピン６２がプレート部材１１に密着された状態で装飾品取付具１０に取付けられる。
【００２３】
また、一方、ストラップ付装飾品である帯飾り５０を装飾品取付具１０に取付けるときには、図２（ｂ）に示すように、装飾品取付具１０の穴部１２に挿入したストラップ５２に装飾部５１を挿入することにより取付けられる。
【００２４】
以上のように、本実施形態に係る装飾品取付具１０によれば、髪飾り６０のＵ字ピン６２がポケット部材１３で構成されるポケット部１５に挿入され、その先端を覆われた状態で装飾品取付具１０に配置される。このため、ストラップ付装飾品である帯飾り５０を取付け可能であることはもちろん、Ｕ字ピン６２により帯を損傷することがない状態で簡単かつ確実に髪飾り６０を装飾品取付具１０に取付けることができる。
【００２５】
なお、上記実施形態では、取付金具付装飾品の取付金具がＵ字ピンである例について説明したが、取付金具がクリップ式留め具（バレッタ、いわゆるパッチン止め）等、他の種類の取付金具を備える装飾品を取付けることができる。
【産業上の利用可能性】
【００２６】
本考案は、取付金具付装飾品を衣類に損傷を与えることなく簡単確実に装飾品取付具に配置できるという効果を有し、装飾品製造業、装飾品販売業等おいて利用可能である。
【符号の説明】
【００２７】
１０：装飾品取付具
１１：プレート部材
１１ａ：基端部
１１ｂ：先端部
１２：穴部
１３：ポケット部材
１３ａ：板状部
１３ｂ：立設部
１４：弾性部材
１４ａ：接触面
１５：ポケット部
１５ａ：開口
５０：帯飾り（ストラップ付装飾品）
５１：装飾部
５２：ストラップ
６０：髪飾り（取付金具付装飾品）
６１：装飾部
６２a、６２ｂ：ピン
６２：Ｕ字ピン（取付金具）
【図１】
0003200031.tif 000003
【図２】
0003200031.tif 000004
【図３】
0003200031.tif 000005
【図４】
0003200031.tif 000006
【図５】
0003200031.tif 000007